(57)【要約】【課題】コンバーゼンス調整機能を備えたＣＲＴ型表示装置において、長時間コンバーゼンス調整状態のままで放置した場合ような場合、蛍光体が焼きついてしまう恐れがあるため、この問題を解決するＣＲＴ型表示装置及び投射型表示装置を提供する。【解決手段】入力端子に供給された映像信号と、コンバーゼンス調整用パターン信号とを入力し、いずれか一方の信号を選択して出力する信号選択回路と、コンバーゼンス調整時に前記調整用パターン信号を前記ＣＲＴに供給するとともに、コンバーゼンス調整状態において所定時間調整行為が無い場合に、前記映像信号を前記ＣＲＴに供給するように前記信号選択回路を制御する制御回路とを具備したことを特徴とする。【選択図】  図１
2004207933.tif 000002
【特許請求の範囲】
【請求項１】
コンバーゼンス調整装置を有するＣＲＴ型表示装置において、
映像信号が供給される入力端子と、
コンバーゼンス調整用パターンを表示するための調整用パターン信号発生回路と、
前記入力端子からの映像信号と、前記調整用パターン信号発生回路からの信号とを入力し、いずれか一方の信号を選択して出力するための信号選択回路と、
前記信号選択回路からの出力信号を処理して前記ＣＲＴに供給する信号処理回路と、
コンバーゼンス調整時に前記調整用パターン信号を前記ＣＲＴに供給するとともに、コンバーゼンス調整状態において所定時間調整行為が無い場合に、前記映像信号を前記ＣＲＴに供給するように前記信号選択回路を制御する制御回路とを具備したことを特徴とするＣＲＴ型表示装置。
【請求項２】
前記所定時間調整行為が無いことを検出するためのタイマー回路を有し、該タイマー回路はコンバーゼンス調整の開始時に計時動作を開始し、前記制御回路は、前記タイマー回路が所定時間を計時したとき前記映像信号を前記ＣＲＴに供給するように前記信号選択回路を制御することを特徴とする請求項１記載のＣＲＴ型表示装置。
【請求項３】
前記タイマー回路が所定時間を計時し、前記映像信号の表示状態に切換わったときメッセージ情報を出力するオンスクリーン回路を有し、前記映像信号に前記メッセージ情報を重畳し、コンバーゼンス調整状態から映像表示モードに切換わったことを示すメッセージを表示すようにしたことを特徴とする請求項２記載のＣＲＴ型表示装置。
【請求項４】
前記タイマー回路は、所定のコンバーゼンス調整が終了したときに計時動作をリセットされることを特徴とする請求項２記載のＣＲＴ型表示装置。
【請求項５】
コンバーゼンス調整装置を有するＣＲＴ型表示装置において、映像信号が供給される入力端子と、
コンバーゼンス調整用パターンを表示するための調整用パターン信号発生回路と、
前記入力端子からの映像信号と、前記調整用パターン信号発生回路からの信号とを入力し、いずれか一方の信号を選択して出力するための信号選択回路と、
前記信号選択回路からの出力信号を処理して前記ＣＲＴに供給する信号処理回路と、
コンバーゼンス調整時に前記調整用パターン信号を前記ＣＲＴに供給するとともに、コンバーゼンス調整状態において所定時間調整行為が無い場合に、前記映像信号処理回路に明るさ制御用信号を供給し、前記ＣＲＴに供給する信号の明るさを低減する制御回路とを具備したことを特徴とするＣＲＴ型表示装置。
【請求項６】
前記所定時間調整行為が無いことを検出するためのタイマー回路を有し、該タイマー回路はコンバーゼンス調整の開始時に計時動作を開始し、前記制御回路は、前記タイマー回路が所定時間を計時したとき前記明るさ制御用信号を前記映像信号処理回路に供給し、ＣＲＴ画面が暗くなるように制御することを特徴とする請求項５記載のＣＲＴ型表示装置。
【請求項７】
前記制御回路は、前記所定時間経過後に再度コンバーゼンス調整行為があった場合、ＣＲＴ画面が明るくなるように制御することを特徴とする請求項６記載のＣＲＴ型表示装置。
【請求項８】
前記タイマー回路は、所定のコンバーゼンス調整が終了したときに計時動作をリセットすることを特徴とする請求項６記載のＣＲＴ型表示装置。
【請求項９】
Ｒ（赤）、Ｇ（緑）、Ｂ（青）に対応した３つの投射管を有する投射型表示装置において、
映像信号が供給される入力端子と、
コンバーゼンス調整用パターンを表示するための調整用パターン信号発生回路と、
前記入力端子からの映像信号と、前記調整用パターン信号発生回路からの信号とを入力し、いずれか一方の信号を選択して出力するための信号選択回路と、
前記信号選択回路からの出力信号を処理して前記ＣＲＴに供給する信号処理回路と、
前記投射管にそれぞれ設けられた副偏向コイルと、
コンバーゼンス補正信号を生成し、コンバーゼンス調整時に前記副偏向コイルにコンバーゼンス補正信号を供給するコンバーゼンス回路と、
コンバーゼンス調整時に前記調整用パターン信号を前記各投射管に供給するとともに、コンバーゼンス調整状態において所定時間調整行為が無い場合に、前記映像信号を前記投射管に供給するように前記信号選択回路を制御する制御回路とを具備したことを特徴とする投射型表示装置。
【請求項１０】
コンバーゼンス調整状態において所定時間調整行為が無い場合に、前記映像信号の表示状態に切換わったことを示すメッセージ情報を出力するオンスクリーン回路を有することを特徴とする請求項９記載の投射型表示装置。
【請求項１１】
Ｒ（赤）、Ｇ（緑）、Ｂ（青）に対応した３つの投射管を有する投射型表示装置において、
映像信号が供給される入力端子と、
コンバーゼンス調整用パターンを表示するための調整用パターン信号発生回路と、
前記入力端子からの映像信号と、前記調整用パターン信号発生回路からの信号とを入力し、いずれか一方の信号を選択して出力するための信号選択回路と、
前記信号選択回路からの出力信号を処理して前記ＣＲＴに供給する信号処理回路と、
前記各投射管にそれぞれ設けられた副偏向コイルと、
コンバーゼンス補正信号を生成し、コンバーゼンス調整時に前記副偏向コイルにコンバーゼンス補正信号を供給するコンバーゼンス回路と、
コンバーゼンス調整時に前記調整用パターン信号を前記各投射管に供給するとともに、コンバーゼンス調整状態において所定時間調整行為が無い場合に、前記映像信号処理回路に明るさ制御用信号を供給し、前記各投射管に供給する信号の明るさを低減する制御回路とを具備したことを特徴とする投射型表示装置。
【請求項１２】
前記制御回路は、コンバーゼンス調整状態にて所定時間調整行為が無い場合、前記映像信号処理回路に明るさ制御用信号を供給して前記各投射管に供給する信号の明るさを低減するとともに、前記所定時間経過後に再度コンバーゼンス調整行為があった場合、画面が明るくなるように制御することを特徴とする請求項１１記載の投射型表示装置。
【発明の詳細な説明】
【０００１】
【発明の属する技術分野】
本発明は、コンバーゼンス装置を備えるカラーテレビ受像機、投射型テレビ受像機等のＣＲＴ型表示装置に関するものである。
【０００２】
【従来の技術】
従来、Ｒ（赤）、Ｇ（緑）、Ｂ（青）に対応した３つのＣＲＴ（投射管）を備える投射型テレビ受像機（以下、三管式プロジェクと称す）では、コンバーゼンス調整が必要であり、デジタルコンバーゼンス装置が一般的に知られている。
【０００３】
例えば特許文献１（特開平７−２１２７７９号公報）に示されるデジタルコンバーゼンス装置は、表示画面上にＭ×Ｎ点の調整点を配置し、各調整点に対応したコンバーゼンス補正データを記憶したデジタルメモリと、前記メモリから読み出した複数の調整点のデータを用いて各調整点間を埋めるための補間データを低域通過フィルタ特性で作成する内挿演算手段と、前記内挿演算手段から出力されたデータをアナログ変換し電流増幅を行う補助偏向用アンプとを備え、投射管ネックに取付けられたコンバーゼンスヨークに前記アンプからコンバーゼンス補正信号を供給するようにしている。
【０００４】
しかし、いかに良好にコンバーゼンスを合わせたとしても、地磁気の影響により、プロジェクターを回転させるとコンバーゼンスはずれるため、この対応として、視聴者が自らコンバーゼンスの調整を行えるようにしたプロジェクターが発売されている。
【０００５】
上記コンバーゼンスの調整時には、デジタルコンバーゼンスの各調整点に対応した位置のコンバーゼンスが良好に認識できるように、コンバーゼンス調整用の映像を表示させており、例えば、クロスハッチ映像や、調整点のみにドットや十字、又はキャラクターを表示させるようにしている。視聴者は表示された調整用の映像を見ながらコンバーゼンスずれのある場所を選択し、視聴者の指示によってコンバーゼンス調整データを増減させ、コンバーゼンス調整を行う。
【０００６】
ところで、上述したようにコンバーゼンスのずれを調整者に明確に認識させるためには、黒字の背景に輝度の高いクロスハッチ映像等を表示する必要があり、このような高輝度な調整用映像を長期間表示すると投射管内の蛍光体が焼きつくことがある。
【０００７】
したがって、調整者がコンバーゼンス調整を開始し、そのまま、コンバーゼンス調整を中断した場合や、店頭で消費者がコンバーゼンス調整モードに切り換えたまま放置した場合など、蛍光体が焼きついてしまう恐れがある。
【０００８】
尚、ＣＲＴを利用した表示装置において、長時間、静止画像を表示した場合も蛍光体の焼きつきが生じるため、この焼きつき防止策として例えば特許文献２（特開平４−３６８９８９号公報）に示すようなものがある。
【０００９】
この特許文献２に記載の例では、輝度変化の大きな静止画を検出し、静止画が所定時間以上連続するとき陰極線管の動作を焼き付け防止モードに設定するものである。しかしながら、特許文献２に記載のものは、静止画状態であることを検出するためにラインメモリ等の付加回路を必要とし回路構成が複雑になるという不都合がある。
【００１０】
【特許文献１】
特開平７−２１２７７９号公報
【特許文献２】
特開平４−３６８９８９号公報
【００１１】
【発明が解決しようとする課題】
コンバーゼンス調整機能を備えたＣＲＴ型表示装置において、長期にわたってコンバーゼンス調整状態のままでいると蛍光体が焼きついてしまう恐れがある。本発明は、この問題を解決するＣＲＴ型表示装置及び投射型表示装置を提供することを目的とする。
【００１２】
【課題を解決するための手段】
請求項１記載の発明は、コンバーゼンス調整装置を有するＣＲＴ型表示装置において、映像信号が供給される入力端子と；コンバーゼンス調整用パターンを表示するための調整用パターン信号発生回路と；前記入力端子からの映像信号と、前記調整用パターン信号発生回路からの信号とを入力し、いずれか一方の信号を選択して出力するための信号選択回路と；前記信号選択回路からの出力信号を処理して前記ＣＲＴに供給する信号処理回路と；コンバーゼンス調整時に前記調整用パターン信号を前記ＣＲＴに供給するとともに、コンバーゼンス調整状態において所定時間調整行為が無い場合に、前記映像信号を前記ＣＲＴに供給するように前記信号選択回路を制御する制御回路とを具備したことを特徴とするＣＲＴ型表示装置である。
【００１３】
また請求項５記載の発明は、コンバーゼンス調整装置を有するＣＲＴ型表示装置において、映像信号が供給される入力端子と；コンバーゼンス調整用パターンを表示するための調整用パターン信号発生回路と；前記入力端子からの映像信号と、前記調整用パターン信号発生回路からの信号とを入力し、いずれか一方の信号を選択して出力するための信号選択回路と；前記信号選択回路からの出力信号を処理して前記ＣＲＴに供給する信号処理回路と；コンバーゼンス調整時に前記調整用パターン信号を前記ＣＲＴに供給するとともに、コンバーゼンス調整状態において所定時間調整行為が無い場合に、前記映像信号処理回路に明るさ制御用信号を供給し、前記ＣＲＴに供給する信号の明るさを低減する制御回路とを具備したことを特徴とするＣＲＴ型表示装置である。
【００１４】
上記発明によれば、調整者がコンバーゼンス調整中に長い時間その場を離れたような場合には、入力端子１１からの映像信号を表示したり、表示画面の明るさを低減するように切り換えるため、ＣＲＴの蛍光体の焼き付けを防ぐことができる。
【００１５】
また、請求項９，１１に記載の発明は、上記した焼き付け防止機能を有する投射型表示装置である。
【００１６】
【発明の実施の形態】
以下本発明の実施形態を図を参照して説明する。図１は本発明の一実施形態によるＣＲＴ型表示装置を示すもので、三管式プロジェクターの例を示すブロックである。
【００１７】
図１において、１１は映像信号Ｓ１が入力される入力端子であり、テレビ放送信号をチューナで受信処理した映像信号や、ＶＴＲ等の外部から与えられる映像信号が入力される。この映像信号Ｓ１は、選択回路１２に供給され、この選択回路１２には調整用パターン信号生成回路１３からコンバーゼンス調整用パターンを生成する映像信号Ｓ２も入力される。
【００１８】
選択回路１２は、マイクロプロセッサ１５からの指令に応じて、映像信号Ｓ１若しくは映像信号Ｓ２のいずれか一方を選択出力するもので、マイクロプロセッサ１５には、リモコン等の入力装置１４からの指令が供給されるようになっている。選択回路１２で選択された映像信号Ｓ１又はＳ２は、映像信号処理回路１６に供給され、この映像信号処理回路１６では供給された映像信号に基づくＲＧＢ信号にそれぞれ変換し、増幅回路１７１，１７２，１７３にそれぞれ供給する。
【００１９】
増幅回路１７１，１７２，１７３で増幅されたＲＧＢ信号は、三原色それぞれに対応する投射管１８１，１８２，１８３に供給され、投射レンズ等からなる光学系を介してスクリーン１９の背面へ投射する。これにより、投射管１８１，１８２，１８３それぞれからの投射映像がスクリーン１９上で重ね合わされて表示され、カラー映像が映し出される。そしてこの映像は、視聴者によりスクリーン１９の表面側から視認される。
【００２０】
一方、選択回路１２で選択された映像信号は、さらに同期分離回路２０に供給され、同期信号が分離抽出される。この同期信号は、主偏向信号発生回路２１に供給される。そして、主偏向信号発生回路２１で発生された水平（Ｈ）および垂直（Ｖ）の主偏向信号は、ＲＧＢ用の各投射管１８１〜１８３のネックに装着した主偏向コイルに供給される。また主偏向信号発生回路２１より、それぞれの主偏向のタイミングに同期した水平および垂直のタイミング信号を発生させ、デジタルコンバーゼンス回路２２に供給する。
【００２１】
尚、３本の投射管１８１〜１８３とスクリーン１９との間には、適宜反射鏡が配置され、各投射管１８１〜１８３から投射される映像光を折り返してスクリーン１９へ導くようにしており、装置の薄型化を図るようにしている。また、３本の投射管１８１，１８２，１８３は、Ｇの投射管１８２を中心にしてＲ，Ｂの投射管１８１，１８３をそれぞれ対象的に傾斜して配置しており、スクリーン１９と各投射管の位置関係は図１のように相違している。このため、同一の投射管にあっても、画面中央部と周辺部では投射距離が異なり、このままでは投射されたＲＧＢの各色の映像が正しく重なることはなく、歪も発生するようになる。
【００２２】
デジタルコンバーゼンス回路２２は、このような問題に対処してコンバーゼンス調整を行うもので、このコンバーゼンス回路２２にはマイクロプロセッサ１５からの指令が入力されると共に、主偏向信号発生回路２１からの同期信号が入力される。そして、投射管１８１〜１８３それぞれに対応する水平および垂直の補助偏向信号（６種）を発生し、これら６種の補助信号は、増幅回路２３１〜２３６でそれぞれ電流増幅され、各投射管１８１〜１８３のネックに備え付けられた水平および垂直の補助偏向コイル２４１〜２４３の入力端子に供給される。また、マイクロプロセッサ１５にはタイマー回路２５が接続されている。
【００２３】
次に図２，図３を参照して、本発明のデジタルコンバーゼンス回路２２の詳細について説明する。図２は、コンバーゼンス調整時の表示画面を示しており、調整用パターン信号発生回路１３からの信号に基づいて縦線、横線にて成るクロスハッチパターンをスクリーン上に表示し、クロスハッチの各交点位置に調整ポイントを設定し、各調整ポイントでのコンバーゼンス補正量が図３の不揮発性メモリに保存されている。
【００２４】
図３において、デジタルコンバーゼンス回路２２は不揮発性メモリ３０を有し、この不揮発性メモリ３０には、前記各調整ポイントのコンバーゼンス補正量を示すデータが保存されており、不揮発性メモリ３０に保存されたデータは、マイクロプロセッサ１５からの制御信号３１により、それぞれ、メモリ３２に転送される。
【００２５】
タイミング信号発生回路３４は、主偏向信号発生回路２１より供給される垂直、水平の走査タイミングをもとに、メモリ３２のアドレスや読み出しに関わる制御信号、及び内挿演算部３５で必要な制御信号を発生する。メモリ３２からは、走査に同期した所定タイミングでコンバーゼンスデータが読み出され、メモリ３2から読み出されデータは、内挿演算部３５へ供給される。
【００２６】
内挿演算部３５は、入力である各調整ポイントのコンバーゼンスデータから、画面全体の補正量を内挿演算し、走査タイミングに合わせて、演算したコンバーゼンス補正量をＤ／Ａコンバータ３６１〜３６６へ出力する。コンバーゼンス補正量は、Ｄ／Ａコンバー３６１〜３６６でアナログ信号となるが、まだ、高調波成分が含まれた階段状の波形である。そこで、ＬＰＦ３７１〜３７６にて高調波成分を除去した後、デジタルコンバーゼンス回路２２より出力させる。
【００２７】
次に、このようなデジタルコンバーゼンス回路２２を備えるプロジェクターにおけるコンバーゼンスの調整動作について説明する。
【００２８】
入力装置１４を介して、マイクロプロセッサ１５がコンバーゼンス調整開始の命令を受けると、マイクロプロセッサは、選択回路１２に対して調整用パターン信号発生回路１３からの信号を選択するように制御する。すると画面には、図２に示すような調整用映像（例えばクロスハッチパターン）が表示される。調整者は、入力装置１４を介してマイクロプロセッサ１５に対して、コンバーゼンスの調整位置を指示する。マイクロプロセッサ１５は、調整用パターン発生信号発生回路１３に対して、調整者が指示した調整ポイントの近傍に何らかのマーカー（図では、四角形Ｐ）を表示させるよう制御する。
【００２９】
この状態で視聴者は画面を見ながら、マーカー位置のコンバーゼンスを調整する。マイクロプロセッサ１５は、視聴者からの調整実行の指示を受けると、タイマー２４は計時動作を開始するとともに、デジタルコンバーゼンス回路２２内のメモリ３２のデータ値を増減させる。この結果、マーカーＰで指示した部分のコンバーゼンスが視聴者の意思に従って調整される。
【００３０】
コンバーゼンスの調整は、メモリ３２のデータを読み出し、Ｒ，Ｇ，Ｂの各水平、垂直方向の６種類の補正データに分離し、Ｄ／Ａ変換回路（３６１〜３６６）及びＬＰＦ（３７１〜３７６）を介してコンバーゼンス補正波形を水平、垂直の補助偏向コイル２４１〜２４３に供給することにより行われ、メモリ３２のデータを増減することで最適値に補正され、補正されたデータが新たにメモリ３２に記憶される。
【００３１】
視聴者が調整完了の指示をマイクロプロセッサ１５に与えると、マイクロプロセッサ１５は、メモリ３２のデータを不揮発性メモリ３０に保存させる。そして、選択回路１２に対して、入力端子１１に供給された映像信号を表示させるよう、選択回路１２を制御する。これで、一連の調整動作が完了する。
【００３２】
一方、コンバーゼンスの調整状態に入った後、調整者が最終行為を行うたびに、マイクロプロセッサ１５はタイマー１０に対してリセットを実行するが、タイマー２５は、所定時間が過ぎると、マイクロプロセッサ１５に対して所定時間経過の割り込みをかける。この割り込み処理によって、マイクロプロセッサ１５は、調整者の調整完了指示を待たずして、選択回路１２を制御して入力端子１１からの映像信号を表示するように切り換える。これにより、長時間クロスハッチパターンＰが表示されるのを防ぐことができ、蛍光体の焼きつきを防止できる。
【００３３】
尚、調整者が行う最終行為とは、例えば所定位置のコンバーゼンス調整が終了したり、Ｒ，Ｇ，Ｂの調整の内、所定の色のコンバーゼンスが終了したときに、調整者がコンバーゼンスの調整終了を指示した場合を指し、所定の調整行為が終了する毎にタイマー２５はリセットされる。従って、調整者が傍にいてコンバーゼンスの調整作業を行っている際には、調整者の指示に応答して順次調整用のパターンが表示される。
【００３４】
又、調整者がコンバーゼンス調整中にそのままの状態で長時間その場を離れたような場合は、タイマー２５は所定時間をカウントした時点で、入力端子１１からの映像信号を表示するように切り換えるため、ＣＲＴの蛍光体の焼き付けを防ぐことができる。
【００３５】
さらに、タイマー２５による割り込みによって強制的に映像表示状態に戻る際は、チャンネル表示などを行うオンスクリーン表示回路から、メッセージ情報を出力し、コンバーゼンス調整状態から通常の映像表示モードに切換わっている旨のメッセージを表示すようにしても良い。
【００３６】
次に図４を用いて、本発明の第２の実施形態について説明する。図１の実施形態との相違点は、マイクロプロセッサ１５から信号ライン４０を介して映像信号処理回路１６に対して、表示画面の明るさを制御する制御信号が供給されている点にある。即ち、コンバーゼンス調整状態に入り、所定時間が過ぎると、タイマー２５は、マイクロプロセッサ１５に対して所定時間経過の割り込みをかける。
【００３７】
この割り込み処理によって、マイクロプロセッサ１５は、映像処理回路１6に対して、明るさを低減する制御信号を出力する。明るさ制御用の信号は、例えばコントラスト制御用の信号、又は輝度制御用の信号である。
【００３８】
これにより、表示されたコンバーゼンス調整用パターンの明るさが低減し、焼き付けを防ぐことができる。そして再度、調整者が調整行為を開始した時点で、マイクロプロセッサ１５は、一旦暗くなった画面をもとの明るさに戻すよう、コントラスト制御データ又は輝度制御データを映像信号処理回路１６に供給する。これにより調整者は、再度、明るい画面でコンバーゼンス調整を再開することが出来る。
【００３９】
尚、以上の説明では、説明の簡素化のため、タイマー２５をマイクロプロセッサ１５の外につけたが、マイクロプロセッサ１５内に内蔵されたタイマーや時計機能を活用してもよい。
【００４０】
以上述べたように本発明は、コンバーゼンス調整のために調整用パターンを表示した後、所定時間が過ぎた場合は自動的に映像表示状態に戻す、あるいは、画面の明るさを落とすという制御を行うことで、蛍光体の焼きつきを防ぐものであり、実施形態に述べた例に拘わらず変形は可能である。
【００４１】
【発明の効果】
以上のように本発明によれば、コンバーゼンス調整状態のまま放置されたような場合であっても、投射管の焼きつきを防止することが出来る。
【図面の簡単な説明】
【図１】本発明の一実施形態によるプロジェクタの構成を示すブロック図。
【図２】本発明の一実施形態によるコンバーゼンス調整パターンの表示例を示す説明図。
【図３】本発明の一実施形態に使用するデジタルコンバーゼンス回路の構成を説明する回路図。
【図４】本発明の他の実施形態によるプロジェクタの構成を示すブロック図。
【符号の説明】
１１…映像信号入力端子
１２…選択回路
１３…調整用パターン信号発生回路
１４…入力装置
１５…マイクロプロセッサ
１６…映像信号処理回路
１７１〜１７３…増幅回路
１８１〜１８３…投射管
１９…スクリーン
２０…同期分離回路
２１…主偏向信号発生回路
２２…デジタルコンバーゼンス回路
２３１〜２３６…増幅回路
２４１〜２４３…補助偏向コイル
２５…タイマー回路
３０…不揮発性メモリ
３２…メモリ
３５…内挿演算回路
４０…コントラスト制御信号ライン
【図１】
2004207933.tif 000003
【図２】
2004207933.tif 000004
【図３】
2004207933.tif 000005
【図４】
2004207933.tif 000006